(57)【特許請求の範囲】
【請求項１】
入出金取引に使用される貨幣を収納する入出金カセットと、
自動取引装置内で搬送される貨幣を鑑別する鑑別部と、
前記入出金カセットに対して貨幣の入出金取引を行う際に、前記鑑別部によってリジェクト貨幣と判別された貨幣を、および前記入出金カセットに収納された貨幣の数量を計数処理する自動計数処理を行う際に、前記鑑別部によってリジェクト貨幣と判別された貨幣を収納するリジェクトカセットと、
出金取引時の金種または枚数が確定できない貨幣を一時的に保管する一時保管部と、
自動計数処理において入出金カセットとの間で貨幣を搬送する運用カセットと、
入出金カセットの金種設定情報と運用カセットの金種設定情報を記録する制御部と、
前記運用カセットが搬送元の入出金カセットの金種設定情報に応じて、当該運用カセットの内部空間を変更できるカセット内部空間変更手段と、を備え、
前記カセット内部空間変更手段は、自動計数処理において、運用カセットの内部空間の変更回数が最も小さい順に搬送元の入出金カセットの自動計数実行順序を決定する、
ことを特徴とする自動取引装置。
【請求項２】
自動計数処理において、前記制御部が搬送元の入出金カセットの金種設定情報と運用カセットの金種設定情報に基づいて、搬送元の入出金カセット内の貨幣が運用カセット内へ搬送可能かどうかを判断し、これにより当該搬送元の入出金カセットに対して自動計数を行うかどうかを判断することを特徴とする請求項１に記載の自動取引装置。
【請求項３】
複数の入出金カセットと複数の運用カセットを備え、金種設定情報に対応する内部空間設定が同じである入出金カセットと運用カセットに対して、かつ運用カセットの容量が入出金カセットの容量以上の場合のみ、当該入出金カセットと当該運用カセットとの間で貨幣を搬送し、これにより自動計数処理を実行することを特徴とする請求項１に記載の自動取引装置。
【請求項４】
前記運用カセットがそれぞれ異なる大きさの内部空間を有する複数の内箱を備え、
前記制御部が前記運用カセットの複数の内箱それぞれの金種設定情報を記録し、
金種設定情報に対応する内部空間設定が同じである入出金カセットと運用カセットの内箱に対して、かつ運用カセットの内箱の容量が入出金カセットの容量以上の場合のみ、当該入出金カセットと運用カセットの当該内箱との間で貨幣を搬送し、これにより自動計数処理を実行することを特徴とする請求項１に記載の自動取引装置。
【請求項５】
前記入出金カセットがそれぞれ異なる大きさの内部空間を有する複数の内箱を備え、
前記制御部が前記入出金カセットの複数の内箱それぞれの金種設定情報を記録し、
金種設定情報に対応する内部空間設定が同じである入出金カセットの内箱と運用カセットに対して、かつ運用カセットの容量が入出金カセットの内箱の容量以上の場合のみ、入出金カセットの当該内箱と当該運用カセットとの間で貨幣を搬送し、これにより自動計数処理を実行することを特徴とする請求項１に記載の自動取引装置。
【請求項６】
前記運用カセットがそれぞれ異なる大きさの内部空間を有する複数の内箱を備え、
前記入出金カセットがそれぞれ異なる大きさの内部空間を有する複数の内箱を備え、
前記制御部が前記運用カセットの複数の内箱それぞれの金種設定情報と前記入出金カセットの複数の内箱それぞれの金種設定情報を記録し、
金種設定情報に対応する内部空間設定が同じである入出金カセットの内箱と運用カセットの内箱に対して、かつ運用カセットの内箱の容量が入出金カセットの内箱の容量以上の場合のみ、入出金カセットの当該内箱と運用カセットの当該内箱との間で貨幣を搬送し、これにより自動計数処理を実行することを特徴とする請求項１に記載の自動取引装置。
【請求項７】
表示部をさらに備え、係員向けの表示画面として、入出金カセットと運用カセットとの金種設定情報に基づいて、各入出金カセットが自動計数処理を行うことができるかどうかを示す情報を表示することを特徴とする請求項１〜６のいずれか1項に記載の自動取引装置。
【請求項８】
運用カセットが搬送元の入出金カセットの金種設定情報に応じて当該運用カセットの内部空間を変更できるカセット内部空間変更手段を有した自動取引装置の入出金カセットに収納された貨幣の数量を計数する自動計数処理において、前記自動取引装置により記録した入出金カセットの金種設定情報と運用カセットの金種設定情報に基づいて、搬送元の入出金カセット内の貨幣が運用カセット内へ搬送可能かどうかを判断し、これにより当該搬送元の入出金カセットに対して自動計数を行うかどうかを判断し、自動計数処理において、運用カセットの内部空間の変更回数が最も小さい順に搬送元の入出金カセットの自動計数実行順序を決定することを特徴とする自動取引装置の計数方法。
【請求項９】
前記自動取引装置が複数の入出金カセットと複数の運用カセットを備え、金種設定情報に対応する内部空間設定が同じである入出金カセットと運用カセットに対して、かつ運用カセットの容量が入出金カセットの容量以上の場合のみ、当該入出金カセットと当該運用カセットとの間で貨幣を搬送し、これにより自動計数処理を実行することを特徴とする請求項８に記載の自動取引装置の計数方法。
【請求項１０】
前記運用カセットがそれぞれ異なる大きさの内部空間を有する複数の内箱を備え、
金種設定情報に対応する内部空間設定が同じである入出金カセットと運用カセットの内箱に対して、かつ運用カセットの内箱の容量が入出金カセットの容量以上の場合のみ、当該入出金カセットと運用カセットの当該内箱との間で貨幣を搬送し、これにより自動計数処理を実行することを特徴とする請求項８に記載の自動取引装置の計数方法。
【請求項１１】
前記入出金カセットがそれぞれ異なる大きさの内部空間を有する複数の内箱を備え、
金種設定情報に対応する内部空間設定が同じである入出金カセットの内箱と運用カセットに対して、かつ運用カセットの容量が入出金カセットの内箱の容量以上の場合のみ、入出金カセットの当該内箱と当該運用カセットとの間で貨幣を搬送し、これにより自動計数処理を実行することを特徴とする請求項８に記載の自動取引装置の計数方法。
【請求項１２】
前記運用カセットがそれぞれ異なる大きさの内部空間を有する複数の内箱を備え、
前記入出金カセットがそれぞれ異なる大きさの内部空間を有する複数の内箱を備え、
金種設定情報に対応する内部空間設定が同じである入出金カセットの内箱と運用カセットの内箱に対して、かつ運用カセットの内箱の容量が入出金カセットの内箱の容量以上の場合のみ、入出金カセットの当該内箱と運用カセットの当該内箱との間で貨幣を搬送し、これにより自動計数処理を実行することを特徴とする請求項８に記載の自動取引装置の計数方法。
【請求項１３】
係員向けの情報表示画面として、入出金カセットと運用カセットとの金種設定情報に基づいて、各入出金カセットが自動計数処理を行うことができるかどうかを示す情報を表示することを特徴とする請求項８〜１２のいずれか1項に記載の自動取引装置の計数方法。
【請求項１４】
自動計数処理において、計数時の鑑別に採用される合格許容範囲を拡大することを特徴とする請求項８〜１２のいずれか1項に記載の自動取引装置の計数方法。
【発明の詳細な説明】
【技術分野】
【０００１】
本発明は自動計数を実行可能な自動取引装置およびその計数方法、特に自動計数を実行する際に、搬送元カセットと運用カセットの金種設定情報に基づいて各搬送元カセットの自動計数が実行可能かどうかを判断する自動取引装置およびその計数方法に関する。
【背景技術】
【０００２】
銀行などの金融機関においては、係員の負担を軽減し、顧客の預貯金取扱いなどの業務を自動化して顧客サービスの品質向上を図るために、多数の自動取引装置が使用されている。このほかに、顧客が貨幣を投入した後に、様々な対応取引を自動的に行うことが可能なその他の種の装置も幅広く使用されている。このような装置が自動的に運用されるためには、ある程度の量の貨幣が、その使用を目的に装置の入出金カセット内に収納されている必要がある。収納されている現金が不足した場合には、外部から現金を補充する。さらに、装置が一定の期間運用された後は、その装置に収納された現金の在高を確認し精査（洗い替え精査、洗い替え紙幣装填精査）して、取扱いに誤りが生じないようにしなければならない。このような精査は、例えば、週に１回または月に１回の任意の頻度で行われる。
【０００３】
例えば、銀行の自動取引装置では、貨幣の補充／回収カセットを装着し、入出金カセットから当該補充／回収カセットへ計数しながら貨幣を収納し、その計数結果に基づいて貨幣の在高を確認する。また、取引の過程において、貨幣は鑑別されながら自動取引装置の金庫に収納されるが、貨幣が正常に鑑別できない場合には、当該貨幣を取引に使用可能な貨幣から除外し、リジェクトカセットに収納する。したがって、リジェクトカセットには損傷の激しい紙幣（破損紙幣）や紙幣でない紙なども混入される。
【０００４】
精査にあたっては、上記計数結果とリジェクトカセットに収納された除外物とを加算して在高の確認が行われる。例えば、入出金カセットから補充／回収カセットに貨幣を回収し計数する処理に１０分程度かかり、その後係員が各種の取引記録を参照しながらリジェクトカセットに収納された中身を確認し、計数結果と加算して在高の確認作業を行う。例えば、この作業には３０分程度かかる。その後補充／回収カセットから入出金カセットに貨幣を戻すために、例えばさらに１０分程度かかる。したがって、合計５０分程度自動取引装置を停止させなければならない。このため、自動取引装置の効率的な運用を妨げるという問題があった。
【０００５】
したがって、取引を一時中止し、入出金カセットと運用カセットとの間で入出金カセットの貨幣を往復搬送し、装置内部で再鑑別を行い、これにより入出金カセット内部の貨幣を機械的に判定し、即ち、自動計数することが提案されている。自動計数を実行することで効率が向上する。
【発明の概要】
【発明が解決しようとする課題】
【０００６】
ところで、上述のような従来の自動取引装置およびその精査方法においては、以下のような解決を急がなければならない技術課題がある。
【０００７】
従来においては、自動計数時に、補充／回収カセットと搬送元（精査元）カセットのカセット設定（内部空間の大きさなどの設定を含む）が同じ状態で自動計数を実行する必要がある。補充／回収カセットのカセット設定と搬送元カセットのカセット設定が同じでない場合に自動計数を実行すると、貨幣が搬送元カセットから補充／回収カセットに搬送される際に、補充／回収カセット内の不良堆積を引き起こし、ジャムの発生や紙幣の正常排出不能などの大きな原因となっている。
【０００８】
したがって、内部空間の設定が運用カセットと異なる搬送元カセットに対して自動計数を行う場合、従来の技術においては、自動計数が実行できないか、またはその都度運用カセットの内部空間の設定を変更しなければならない技術課題がある。
【課題を解決するための手段】
【０００９】
本発明は従来の技術における上記技術課題を解決するために、以下のような技術手段を採用する。
【００１０】
まず、本発明は自動取引装置を提供し、当該装置は、入出金取引に使用される貨幣を収納する入出金カセットと、自動取引装置内で搬送される貨幣を鑑別する鑑別部と、前記入出金カセットに対して貨幣の入出金取引を行う際に、前記鑑別部によってリジェクト貨幣と判別された貨幣を、および前記入出金カセットに収納された貨幣の数量を計数処理する自動計数処理を行う際に、前記鑑別部によってリジェクト貨幣と判別された貨幣を収納するリジェクトカセットと、出金取引時の金種または枚数が確定できない貨幣を一時的に保管する一時保管部と、自動計数処理において入出金カセットとの間で貨幣を搬送する運用カセットと、入出金カセットの金種設定情報と運用カセットの金種設定情報を記録する制御部と、を備えることを特徴とする。
【００１１】
本発明の自動取引装置は、自動計数処理において、前記制御部が搬送元の入出金カセットの金種設定情報と運用カセットの金種設定情報に基づいて、搬送元の入出金カセット内の貨幣が運用カセット内へ搬送可能かどうかを判断し、これにより当該搬送元の入出金カセットに対して自動計数を行うかどうかを判断してもよい。
【００１２】
本発明の自動取引装置は、前記運用カセットが搬送元の入出金カセットの金種設定情報に応じて、当該運用カセットの内部空間を変更できるカセット内部空間変更手段を有してもよい。
【００１３】
本発明の自動取引装置は、複数の入出金カセットと複数の運用カセットを備え、金種設定情報に対応する内部空間設定が同じである入出金カセットと運用カセットに対して、かつ運用カセットの容量が入出金カセットの容量以上の場合のみ、当該入出金カセットと当該運用カセットとの間で貨幣を搬送し、これにより自動計数処理を実行してもよい。
【００１４】
本発明の自動取引装置は、前記運用カセットがそれぞれ異なる大きさの内部空間を有する複数の内箱を備え、前記制御部が前記運用カセットの複数の内箱それぞれの金種設定情報を記録し、金種設定情報に対応する内部空間設定が同じである入出金カセットと運用カセットの内箱に対して、かつ運用カセットの内箱の容量が入出金カセットの容量以上の場合のみ、当該入出金カセットと運用カセットの当該内箱との間で貨幣を搬送し、これにより自動計数処理を実行してもよい。
【００１５】
本発明の自動取引装置は、前記入出金カセットがそれぞれ異なる大きさの内部空間を有する複数の内箱を備え、前記制御部が前記入出金カセットの複数の内箱それぞれの金種設定情報を記録し、金種設定情報に対応する内部空間設定が同じである入出金カセットの内箱と運用カセットに対して、かつ運用カセットの容量が入出金カセットの内箱の容量以上の場合のみ、入出金カセットの当該内箱と当該運用カセットとの間で貨幣を搬送し、これにより自動計数処理を実行してもよい。
【００１６】
本発明の自動取引装置は、前記運用カセットがそれぞれ異なる大きさの内部空間を有する複数の内箱を備え、前記入出金カセットがそれぞれ異なる大きさの内部空間を有する複数の内箱を備え、前記制御部が前記運用カセットの複数の内箱それぞれの金種設定情報と前記入出金カセットの複数の内箱それぞれの金種設定情報を記録し、金種設定情報に対応する内部空間設定が同じである入出金カセットの内箱と運用カセットの内箱に対して、かつ運用カセットの内箱の容量が入出金カセットの内箱の容量以上の場合のみ、入出金カセットの当該内箱と運用カセットの当該内箱との間で貨幣を搬送し、これにより自動計数処理を実行してもよい。
【００１７】
本発明の自動取引装置は、表示部をさらに備え、係員向けの表示画面として、入出金カセットと運用カセットとの金種設定情報に基づいて、各入出金カセットが自動計数処理を行うことができるかどうかを示す情報を表示してもよい。
【００１８】
本発明はさらに自動取引装置の計数方法を提供し、当該方法は、自動取引装置の入出金カセットに収納された貨幣の数量を計数する自動計数処理において、前記自動取引装置により記録した入出金カセットの金種設定情報と運用カセットの金種設定情報に基づいて、搬送元の入出金カセット内の貨幣が運用カセット内へ搬送可能かどうかを判断し、これにより当該搬送元の入出金カセットに対して自動計数を行うかどうかを判断することを特徴とする。
【００１９】
本発明の自動取引装置の計数方法は、前記運用カセットが搬送元の入出金カセットの金種設定情報に応じて当該運用カセットの内部空間を変更できるカセット内部空間変更手段を有し、自動計数処理において、運用カセットの内部空間の変更回数が最も小さい順に搬送元の入出金カセットの自動計数実行順序を決定してもよい。
【００２０】
本発明の自動取引装置の計数方法は、前記自動取引装置が複数の入出金カセットと複数の運用カセットを備え、金種設定情報に対応する内部空間設定が同じである入出金カセットと運用カセットに対して、かつ運用カセットの容量が入出金カセットの容量以上の場合のみ、当該入出金カセットと当該運用カセットとの間で貨幣を搬送し、これにより自動計数処理を実行してもよい。
【００２１】
本発明の自動取引装置の計数方法は、前記運用カセットがそれぞれ異なる大きさの内部空間を有する複数の内箱を備え、金種設定情報に対応する内部空間設定が同じである入出金カセットと運用カセットの内箱に対して、かつ運用カセットの内箱の容量が入出金カセットの容量以上の場合のみ、当該入出金カセットと運用カセットの当該内箱との間で貨幣を搬送し、これにより自動計数処理を実行してもよい。
【００２２】
本発明の自動取引装置の計数方法は、前記入出金カセットがそれぞれ異なる大きさの内部空間を有する複数の内箱を備え、金種設定情報に対応する内部空間設定が同じである入出金カセットの内箱と運用カセットに対して、かつ運用カセットの容量が入出金カセットの内箱の容量以上の場合のみ、入出金カセットの当該内箱と当該運用カセットとの間で貨幣を搬送し、これにより自動計数処理を実行してもよい。
【００２３】
本発明の自動取引装置の計数方法は、前記運用カセットがそれぞれ異なる大きさの内部空間を有する複数の内箱を備え、前記入出金カセットはそれぞれ異なる大きさの内部空間を有する複数の内箱を備え、金種設定情報に対応する内部空間設定が同じである入出金カセットの内箱と運用カセットの内箱に対して、かつ運用カセットの内箱の容量が入出金カセットの内箱の容量以上の場合のみ、入出金カセットの当該内箱と運用カセットの当該内箱との間で貨幣を搬送し、これにより自動計数処理を実行してもよい。
【００２４】
本発明の自動取引装置の計数方法は、係員向けの情報表示画面として、入出金カセットと運用カセットとの金種設定情報に基づいて、各入出金カセットが自動計数処理を行うことができるかどうかを示す情報を表示してもよい。
【００２５】
本発明の自動取引装置の計数方法は、自動計数処理において、計数時の鑑別に採用される合格許容範囲を拡大してもよい。
【００２６】
本発明の自動取引装置およびその計数方法によると、自動計数を実行する際に、各搬送元カセットの金種情報に基づいて、対象の補充／回収カセットの内部空間として搬送元カセットの貨幣を正常に受け取ったり送出したりすることが可能かどうかを判断し、対象の補充／回収カセットの内部空間として搬送元カセットの貨幣を正常に受け取ったり送出したりすることが可能な場合には、当該搬送元カセットの自動計数を実行する。また、対象の補充／回収カセットの内部空間として搬送元カセットの貨幣を正常に受け取ったり送出したりすることが不可能な場合には、搬送元のカセットの金種情報に基づいて補充／計数カセットの内部空間を変更してから自動計数を実行してもよい。
【発明の効果】
【００２７】
本発明によれば、大きさの異なる貨幣の金種設定が存在する場合でも、搬送元のカセットに対して自動計数を行うことでき、これにより運営効率高めることができる。
【図面の簡単な説明】
【００２８】
【図１】本発明の実施形態１に係わる自動取引装置の外観略図である。
【図２】本発明の実施形態１に係わる自動取引装置の内部構造略図である。
【図３】本発明の実施形態１に係わる自動取引装置の入金取引のフローチャートである。
【図４】本発明の実施形態１に係わる自動取引装置の自動計数処理のフローチャートである。
【図５】カセット内部空間変更手段を備える補充／回収カセットの一例の構造を示す略図である。
【図６】本発明の実施形態２に係わる自動取引装置の内部構造略図である。
【図７】ダブルケース構造を備える補充／回収カセットの一例の構造を示す略図である。
【発明を実施するための形態】
【００２９】
以下、図面および実施例に基づいて本発明についてさらに詳しく説明する。なお、図面において同一または対応する箇所については同一の符号を付与し、説明を省略する。
【実施形態１】
【００３０】
まず、図面に基づいて本実施形態に係わる自動取引装置について詳しく説明する。図１は実施形態１に係わる自動取引装置の外観略図である。図１において、各構造の設置位置および形状は図示にすぎず、本発明を限定するものではない。実際には、状況に応じて様々な適宜な設置位置および形状を採用することができる。図１に示すように、自動取引装置１は、例えば、銀行などで入金などの取引に使用される自動取引装置である。当該自動取引装置１は操作パネル（例えばタッチパネルディスプレイ）２、操作キー３および暗証番号入力部４を備え、ユーザがそれらを操作して取引を行う。自動取引装置１には、例えば、前面にカード出入口６、入出金口７および明細票排出口８などが設置されている。自動取引装置１内には紙幣処理手段９、制御部１０およびネットワーク１０１を介して上位システム１１と通信を行う受信部１２と送信部１３が収納されている。また、自動取引装置１には、例えば、後面に係員が操作するための係員操作パネル５（例えば、タッチパネルディスプレイ）が設置されている。
【００３１】
図２は本発明の実施形態１に係わる自動取引装置の内部構造略図である。図２において、各構造の設置位置および形状は図示にすぎず、本発明を限定するものではない。実際においては状況に応じて様々な適宜な設置位置および形状を採用することができる。図２に示すように、自動取引装置１は入出金口７（図１を参照）を有する。入出金口７には開閉可能なシャッター１４が設けられている。入金の場合には入出金口７に貨幣（現金）を投入し、出金の場合には入出金口７から貨幣を取り出す。自動取引装置１の内部には貨幣の真偽および貨幣の金種などを鑑別するための鑑別部１５、スタッカ（stacker）１６、入出金カセット１７、リジェクトカセット１８、および補充／回収カセット１９が設けられている。また、自動取引装置１の内部にはさらに貨幣を搬送するための搬送路２１が設けられている。入出金カセット１７には、例えば、１００元紙幣または５０元紙幣などの紙幣が金種別に収納される。また、装置内部にはカセット毎に操作検出部２２と残量空検出部２３が設けられている。図３においては補充／回収カセットのみに対して操作検出部２２と残量空検出部２３が記載されているが、各入出金カセット１７とリジェクトカセット１８にも同様にそれぞれ操作検出部２２と残量空検出部２３を設けてもよく、勿論それぞれのカセットに操作検出部２２と残量空検出部２３を設けなくてもよい。さらには必要に応じていずれかのカセットに操作検出部２２と残量空検出部２３の少なくとも一つを設置してもよい。操作検出部２２は当該カセットが誰か（例えば係員）に操作されたかどうかを検出する。残量空検出部２３は当該カセット内の残量が空である状況を検出する。
【００３２】
以下、図面に基づいて本実施形態に係わる自動取引装置の入金取引と出金取引における処理についてそれぞれ説明する。
【００３３】
図３は本発明の実施形態１に係わる自動取引装置の入金取引のフローチャートである。図３に示すように、入金取引の過程は大体入金計数Ｓ１と入金収納Ｓ２の二つに分けられる。入金取引時に、貨幣は入出金口７に投入され、鑑別部１５によって鑑別処理が行われ、その後スタッカ１６に収納される。この際、鑑別不能な貨幣またはその他の紙類などの除外物は入出金口７に戻される。戻された除外物はエンドユーザによって取り出され、その後入出金口７のシャッター１４が閉じ、スタッカ１６に収納された貨幣の鑑別結果が操作パネル２に表示される。エンドユーザは投入した貨幣と表示された鑑別結果を確認し、問題なく入金が確認された場合に、操作パネル２または操作キー３により確認結果を入力する。その後、自動取引装置１と上位システム１１は通信を行い、入金取引が成立する。この入金取引成立前の過程を入金計数と称する。入金取引が成立した後、入金貨幣を収納する過程を入金収納と称する。入金収納過程において、スタッカ１６内の貨幣は鑑別部１５によって再び鑑別され、入出金カセット１７に収納される。また、鑑別失敗または鑑別不能な貨幣などはリジェクト貨幣としてリジェクトカセットに１８に収納される。
【００３４】
また、自動取引装置１内に搬送または収納された貨幣は銀行帳務外の貨幣（機外貨幣）と銀行帳務内の貨幣（機内貨幣）とに分けられる。銀行帳務外の貨幣とは、自動取引装置１において所有権が銀行に属さない貨幣のことであり、銀行帳務内の貨幣とは、自動取引装置１において所有権が銀行に属する貨幣のことである。例えば、入金取引時に、入金計数過程において（即ち、エンドユーザ確認前）搬送またはスタッカ１６に収納された貨幣は銀行帳務外の貨幣であり、入金収納過程において（即ち、エンドユーザ確認後）搬送または入出金カセット１７またはリジェクトカセット１８に収納された貨幣は銀行帳務内の貨幣である。
【００３５】
本実施形態に係わる自動取引装置の出金取引においてエンドユーザは操作パネル２、操作キー３および暗証番号入力部４により出金内容を入力し、問題なく出金が確認された場合に、自動取引装置１と上位システム１１は通信を行い、出金取引が成立する。その後、貨幣は入出金カセット１７から鑑別部１５によって鑑別され入出金口７へ搬送され、開閉シャッター１４が開き、エンドユーザによって取り出される。搬送中に、金種と枚数の鑑別に成功したが再利用に適しない貨幣はリジェクト貨幣としてリジェクトカセットに１８に収納され、金種と枚数が鑑別不能な貨幣などはスタッカ１６に収納される。開閉シャッター１４が閉じた後に、貨幣はスタッカ１６から金庫へ収納される。
【００３６】
以上の期間中、操作検出部２２はリジェクトカセット１８が誰か（例えば、係員）に操作されたかどうかを検出し、制御部１０は操作検出部２２の検出結果を記録する。前回の精査後の期間中にリジェクトカセット１８が誰かに操作された場合、銀行帳務内の在高確認失敗として記録する。ここで、精査とは、上位システム１１の記録に基づく銀行帳務内の在高の合計値と自動取引装置１によって算出し記録された銀行帳務内の貨幣在高の合計値とを比較して照合する処理のことであり、洗い替え精査または洗い替え紙幣装填精査とも称する。
【００３７】
以下、本実施形態に係わる自動取引によって行われる自動計数処理について具体的に説明する。図４は本発明の実施形態１に係わる自動取引装置の自動計数処理のフローチャートである。図４に示すように、自動計数処理において、上位システム１１からリモートモードで自動在高計数を実行する指示が送信された場合、自動取引装置１は受信部１２により当該指示を受信し（Ｓ４１）、自動在高計数を行う。ここで、自動計数（自動在高計数）とは、取引を一時停止し、各入出金カセット１７の金種設定に基づいて補充／回収カセット１９に必要な内部空間を判断し、これによって当該時刻における補充／回収カセット１９の内部空間設定に応じて自動計数動作を実行可能な入出金カセット１７であるかどうかを判断する動作（Ｓ４２）と、自動計数動作を実行可能と判断された各入出金カセット１７に対して（Ｓ４２においてＹＥＳ）、当該入出金カセット１７内に収納されたすべての貨幣を、鑑別部１５を経由して補充／回収カセットに搬送する動作（Ｓ４３）と、当該入出金カセット１７内の貨幣の在高を計数する動作（Ｓ４４）とのことである。自動計数時に、鑑別部１５の鑑別レベルを緩和（鑑別中の合格許容範囲を拡大）させて鑑別を行い、入出金カセット１７から補充／回収カセット１９までの間で貨幣を搬送し、順次各入出金カセット１７に対して計数を行い、これにより各入出金カセット１７の貨幣の在高を確認する。自動計数動作を実行できないと判断された入出金カセット１７について（Ｓ４２においてＮＯ）、当該入出金カセット１７の設定に応じて、補充／回収カセット１９内部に設置されたカセット内部空間変更手段２５によって補充／回収カセット１９の内部空間を変更する（Ｓ４５）。当該変更の終了後に、当該入出金カセット１７の自動計数を実行する（Ｓ４３〜Ｓ４４）。
【００３８】
即ち、自動計数処理中に、各入出金カセット１７の金種設定に基づいて補充／回収カセット１９に必要な内部空間を判断し、当該時刻における補充／回収カセット１９の内部空間設定に応じて自動計数動作を実行可能な入出金カセット１７から順次自動計数を行う。自動計数動作を実行可能な入出金カセット１７の自動計数の終了後に、残りの入出金カセット１７の設定に応じて、補充／回収カセット１９の内部に設置されたカセット内部空間変更手段２５によって補充／回収カセット１９の内部空間を変更する。当該変更の終了後に、残りの入出金カセット１７の自動計数を実行する。
【００３９】
ここで、例えば、補充／回収カセット１９の内部空間を変更する回数が最も小さい順にしたがって、搬送元の入出金カセットの自動計数実行順番を決定する。これにより、できる限り補充／回収カセット１９の内部空間の変更回数を減少し、自動計数処理のスピードを上げることができる。
【００４０】
本実施形態に係わる自動計数処理においては、補充／回収カセット１９を運用カセットとして使用し、入出金カセットと運用カセットとの間で貨幣を搬送し、これにより自動計数処理を実行するが、本発明に係わる運用カセットは補充／回収カセット１９に限定されず、状況に応じて任意のカセットを使用してよい。
【００４１】
また、各入出金カセット１７と補充／回収カセット１９の金種設定は、制御部１０により記録された入出金カセットの金種設定情報と補充／回収カセット１９の金種設定情報に基づいて決定することができる。ここで、金種設定情報とは、カセットに収納する貨幣の金種を示す情報であり、当該カセットの内部空間設定は当該金種設定情報に示す金種の貨幣に対応する。そのうち、金種はそれぞれの貨幣種類と同一の貨幣種類のそれぞれの金種およびその組み合わせを含む。即ち、金種設定情報はそれぞれの貨幣種類に対応する設定情報であってもよく、同一の貨幣種類に対応するそれぞれの金種の設定情報であってもよい。貨幣の具体的な状況に応じて、異なる金種設定情報を有するカセットの内部空間の大きさは異なる場合もあれば、同じである場合もある。運用カセットと入出金カセットの金種設定情報に対応するカセットの内部空間の大きさが許容範囲内であれば、当該運用カセットと入出金カセットとの間で貨幣を搬送して自動計数処理を行うことができる。
【００４２】
図５はカセット内部空間変更手段を備える補充／回収カセットの一例の構造を示す略図である。図５に示すように、補充／回収カセット内部空間変更手段２５を備える補充／回収カセット１９（以下、可変補充／回収カセットと称する）は、紙幣処理手段９の搬送路との間で紙幣が入出する紙幣入出口１９０１、紙幣収納部（上記の内部空間に該当する）１９０２、紙幣入出口１９０１と紙幣収納部１９０２との間で紙幣が入出する紙幣送出部１９０３、紙幣収納部１９０２内の紙幣に適宜な押圧力を加える押圧板１９０４、押圧板１９０４の平面として動作する底板１９０５、可変板１９０６、可変板１９０６の可動範囲を規制する案内部１９０７、可変板１９０６の位置を変えるカセット内部空間変更手段２５、および紙幣収納部１９０２の内部が当接されるための開閉蓋１９０８を備える。
【００４３】
図５の実施例では、カセット内部空間変更手段２５をスライドロッド機構により実現する。可変板１９０６には可変板ヒンジ２５０１が取り付けられている。可変板ヒンジ２５０１によって可変板ロッド２５０２が取り付けられている。接点部２５０３に加える荷重によって、可変板ロッド２５０２が接点ヒンジ２５０４を中心として移動可能であり、これにより可変板１９０６の位置を変更する。接点部２５０３に荷重を加えなかった場合、可変板１９０６は可変板バネ２５０５によって開閉蓋１９０８側の固定位置に位置する。接点部２５０３に荷重を加えた場合、可変板１９０６は可変板ロッド２５０２によって開閉蓋１９０８側から離れた位置に位置する。
【００４４】
本実施例では、接点部２５０３に荷重を加える機構として、例えば押圧棒２５０６、スライド案内部材２５０７、ロッド２５０８、ロッドバネ２５０９、プッシュロッド２５１０および螺線管２５１１を備えた機構を採用する。そのうち、螺線管２５１１は電動機の一例であり、駆動機構として、制御部１０からの紙幣収納部１９０２（内部空間）を変更する指示信号に基づいて、プッシュロッド２５１０を移動させて、ロッド２５０８を移動させる。ロッド２５０８の移動により、押圧棒２５０６が、スライド案内部材２５０７により移動方向が制限された状態で、接点部２５０３を押圧する方向へ移動し、これにより接点部２５０３に荷重を加える。また、螺線管２５１１に指示信号を送信しなかった場合、ロッドバネ２５０９の働きで、押圧棒２５０６が接点部２５０３から離れた位置に位置する。即ち、接点部２５０３に荷重を加えていない。
【００４５】
上述のように、図５に示す実施例では、可変板ヒンジ２５０１、可変板ロッド２５０２、接点部２５０３、接点ヒンジ２５０４、可変板バネ２５０５、押圧棒２５０６、スライド案内部材２５０７、ロッド２５０８、ロッドバネ２５０９、プッシュロッド２５１０および螺線管２５１１から構成されたスライドロッド機構に基づくカセット内部空間変更手段２５を示したが、当該カセット内部空間変更手段２５はカセット内部空間変更手段２５の一例にすぎず、本発明に係わるカセット内部空間変更手段２５は、指示に基づき搬送元の入出金カセットの金種設定情報に応じて、カセットの内部空間を変更できればよく、上述の具体例に限定されず、様々な変更を行うことができる。
【００４６】
同様な方法で、すべての入出金カセット１７の自動計数処理が終了するまで自動計数を繰り返して実行する。また、自動計数処理時に鑑別部１５によってリジェクト貨幣と判別された貨幣はリジェクトカセット１８に搬送される。自動計数処理の終了後に、自動取引装置１は送信部１３を介して入出金カセット１７とリジェクトカセット１８の銀行帳務内在高状態の確認状況および確認した入出金カセット１７とリジェクトカセット１８の銀行帳務内在高を上位システム１１に報告する。ここで、自動取引装置１は送信部１３を介して銀行帳務外在高の有無を上位システム１１に報告してもよい。
【００４７】
上位システム１１は自動取引装置１からの報告に基づいて、銀行帳務内在高の確認に成功した場合、上位システム１１における貨幣装填記録と回収記録および取引記録に基づく合計値と報告された銀行帳務内貨幣在高の合計値とを比較して精査を行う。上記の二つの合計値が一致する場合、精査は完了し、係員による自動取引装置１への出動が不必要となり、自動取引装置１は次回の精査まで取引を継続して実行する。上記の銀行帳務内在高の確認に失敗または二つの合計値が一致しない場合、自動取引装置１は空の補充／回収カセット１９を代用リジェクトカセットとしてその内部空間を再設定し、必要な場合はカセット内部空間変更手段２５によってその内部空間を同時に変更して、引き続き取引を実行し、係員は従来と同様に自動取引装置１に出動して精査を行う。係員は精査する際に、各入出金カセット１７の計数結果の記録およびリジェクトカセット１８内の現物確認結果に基づいて、上記自動計数を実行したタイミングでの貨幣量を確認する。係員がリジェクトカセット１８を回収した後に、制御部１０は残量空検出部２３によってリジェクトカセット１８の残量が空であることを確認し、確認結果が残量空である場合、代用リジェクトカセットとして使用した補充／回収カセット１９内のすべての貨幣をリジェクトカセット１８内に搬送するとともに、制御部１０は前回の補充／回収カセット１９の貨幣在高値をリジェクトカセット１８の新たな貨幣在高値とし、補充／回収カセット１９の貨幣在高値を空（ゼロ）に変更する。
【００４８】
上述のように、入出金カセット１７の金種設定が異なる場合においても、自動計数によって入出金カセット１７の貨幣在高を確認することができ、従来の入出金カセット１７の金種設定と同じ場合での同様な精査を実行することができる。
【実施形態２】
【００４９】
上述の実施形態１では、自動取引装置１がカセット内部空間変更手段２５を有する補充／回収カセット１９により自動計数を実行することについて説明した。続いて、実施形態２として、自動取引装置１が多金種に対する入出金カセット１７および補充／回収カセット１９を有する例について説明する。そのうち、実施形態１と同じ内容や類似内容などについては実施形態１を参照し、実施形態２ではその説明を省略する。
【００５０】
図６は本発明の実施形態２に係わる自動取引装置の内部構造略図である。図６に示すように、自動取引装置１は複数の補充／回収カセット１９を備え、当該複数の補充／回収カセット１９の内部空間設定はそれぞれ異なる金種設定情報と対応する。また、自動取引装置１は複数の入出金カセット１７を備え、各入出金カセット１７の内部空間設定はそれぞれ上記各補充／回収カセット１９と同じである。また、内部空間設定が同じ金種に対応する補充／回収カセット１９と入出金カセット１７とを比べると、補充／回収カセット１９の容量は入出金カセット１７の容量以上である。
【００５１】
図６では、二つの補充／回収カセット１９と二つの入出金カセット１７を備える例を示している。例えば、二つの補充／回収カセット１９と二つの入出金カセット１７はそれぞれ額面金額が１００元と１０元の貨幣に対応する。しかし、実施形態２では補充／回収カセット１９と入出金カセット１７の数量と対応する金種はこれに限定されず、実際の状況と需要に応じて、補充／回収カセット１９と入出金カセット１７の数量と対応する金種を適宜に設定することができる。
【００５２】
実施形態２において、自動計数処理の開始前のプロセスは上記実施形態と同じであり、ここでは重複説明を省略する。
【００５３】
自動計数処理において、上位システム１１からリモートモードで自動在高計数を実行する指示が送信された場合、自動取引装置１は受信部１２により当該指示を受信し、自動在高計数を行う。
【００５４】
このとき、各入出金カセット１７の金種設定に基づいて、補充／回収カセット１９に必要な内部空間を判断し、当該時刻における補充／回収カセット１９の内部空間設定に応じて自動計数動作を実行可能な入出金カセット１７から順次自動計数を行う。内部空間設定が異なる補充／回収カセット１９を備えているため、入出金カセット１７の金種設定に応じて、内部空間設定が当該入出金カセット１７の金種設定と対応する補充／回収カセット１９と当該入出金カセット１７との間で貨幣の搬送を繰り返して自動計数処理を行う。
【００５５】
同様な方法で、すべての入出金カセット１７の自動計数処理が終了するまで自動計数を繰り返して実行する。自動計数処理の終了後に、自動取引装置１は送信部１３を介して入出金カセット１７とリジェクトカセット１８の銀行帳務内在高状態の確認状況および確認した入出金カセット１７とリジェクトカセット１８の銀行帳務内在高を上位システム１１に報告する。ここで、自動取引装置１は送信部１３を介して銀行帳務外在高の有無を上位システム１１に報告してもよい。
【００５６】
上位システム１１は自動取引装置１からの報告に基づいて、銀行帳務内在高の確認に成功した場合、上位システム１１における紙幣装填記録とリジェクト記録および取引記録に基づく合計値と報告された銀行帳務内貨幣在高の合計値とを比較して精査を行う。上記の二つの合計値が一致した場合、精査は完成し、係員による自動取引装置１への出動が不必要となり、自動取引装置１は次回の精査まで取引を継続して実行する。上記の銀行帳務内在高の確認に失敗または二つの合計値が一致しない場合、自動取引装置１は空の補充／回収カセット１９を代用リジェクトカセットとして再設定して引き続き取引を実行し、係員は従来と同様に自動取引装置１へ出動して精査を行う。ここで、複数の補充／回収カセットにより異なる額面設定情報に対応して異なるリジェクト紙幣を受け取ってもよい。係員は精査する際に、各入出金カセット１７の計数結果の記録およびリジェクトカセット１８内の現物確認結果に基づいて、上記自動計数を実行したタイミングでの貨幣量を確認する。係員がリジェクトカセット１８を回収した後に、制御部１０は残量空検出部２３によってリジェクトカセット１８の残量が空であることを確認し、確認結果が残量空である場合、代用リジェクトカセットとして使用された補充／回収カセット１９内のすべての貨幣をリジェクトカセット１８内へ搬送する。また、複数の補充／回収カセットにより異なる額面設定情報に対応して異なるリジェクト紙幣を受け取った場合、代用リジェクトカセットとして使用された補充／回収カセット１９内のすべての貨幣をリジェクトカセット１８内へ搬送する。さらに、制御部１０は前回の補充／回収カセット１９の貨幣在高値をリジェクトカセット１８の新たな貨幣在高値とし、補充／回収カセット１９の貨幣在高値を空（ゼロ）に変更する。
【００５７】
上述のように、入出金カセット１７の金種設定が異なる場合においても、自動計数によって入出金カセット１７の貨幣在高を確認することができ、従来の入出金カセット１７の金種設定と同じ場合での同様な精査を実行することができる。
【００５８】
上記では自動取引装置１が多金種に対応する複数の入出金カセット１７および補充／回収カセット１９を備える実施例について説明したが、自動取引装置１はマルチケース構造を備える補充／回収カセット１９によっても本実施形態の自動計数処理を実行することができる。
【００５９】
図７はダブルケース構造を備える補充／回収カセットの一例の構造を示す略図である。図７示すように、ダブルケース構造を備える補充／回収カセット１９は、紙幣処理手段９の搬送路との間で紙幣が入出する紙幣入出口１９６１、紙幣収納部１９６６を（上記の内部空間に該当する）を備える第１の内箱１９６２、紙幣収納部１９６７を備える第二の内箱１９６３、および第１の内箱１９６２と第２の内箱１９６３に紙幣を配分する紙幣分岐部１９６４を備える。第１の内箱１９６２は、紙幣分岐部１９６４から分岐された搬送路１９６５、搬送路１９６５と紙幣収納部１９６６との間で紙幣が入出する紙幣送出部１９６８、紙幣収納部１９６６内の紙幣に適宜な押圧力を加える押圧板１９７０、および押圧板１９７０の平面として動作する底板１９７１を備える。第２の内箱１９６３は、紙幣分岐部１９６４から分岐された搬送路１９７２、搬送路１９７２と紙幣収納部１９６７との間で紙幣が入出する紙幣送出部１９７３、紙幣収納部１９６７内の紙幣に適宜な押圧力を加える押圧板１９７４、および押圧板１９７４の平面として動作する底板１９７５を備える。
【００６０】
上記のダブルケース構造を備えることにより、補充／回収カセット１９の第１の内箱１９６２と第２の内箱１９６３はそれぞれ異なる金種、例えば額面金額がそれぞれ１００元と１０元の貨幣に対応することができる。もちろん、マルチケース構造を有する補充／回収カセット１９は上記ダブルケース構造に限定されず、それぞれ二つの種類以上の金種のうち一つの種類に対応する二つの以上の内箱を備えてもよい。また、内部空間設定が同じ金種に対応する補充／回収カセット１９の内箱と入出金カセット１７とを比べると、補充／回収カセット１９の内箱の容量は入出金カセット１７の容量以上である。
【００６１】
また、補充／回収カセット１９の各内箱の金種設定は、制御部１０により記録した補充／回収カセット１９の各内箱の金種設定情報に基づいて確定することができる。
【００６２】
自動取引装置１はマルチケース構造を備える補充／回収カセット１９によって、本実施形態における上記で説明した方法と略同様に自動計数処理を実行することができる。以下、簡単に説明する。
【００６３】
自動計数処理において、上位システム１１からリモートモードで自動在高計数を実行する指示が送信された場合、自動取引装置１は受信部１２により当該指示を受信し、自動在高計数を行う。
【００６４】
このとき、各入出金カセット１７の金種設定に基づいて、補充／回収カセット１９の各内箱に必要な内部空間を判断し、当該時刻における補充／回収カセット１９の各内箱の内部空間設定に応じて自動計数動作を実行可能な入出金カセット１７から順次自動計数を行う。補充／回収カセット１９が内部空間設定の異なる複数の内箱を備えているため、入出金カセット１７の金種設定に応じて、内部空間設定が当該入出金カセット１７の金種設定と対応する補充／回収カセット１９の内箱と当該入出金カセット１７との間で貨幣の搬送を繰り返して自動計数処理を行う。
【００６５】
同様な方法で、すべての入出金カセット１７の自動計数処理が終了するまで自動計数を繰り返して実行する。自動計数処理の終了後に、自動取引装置１は送信部１３を介して入出金カセット１７とリジェクトカセット１８の銀行帳務内在高状態の確認状況および確認した入出金カセット１７とリジェクトカセット１８の銀行帳務内在高を上位システム１１に報告する。ここで、自動取引装置１は送信部１３を介して銀行帳務外在高の有無を上位システム１１に報告してもよい。
【００６６】
後続の処理は本実施形態で説明した処理と同じであり、ここでは説明を省略する。
【００６７】
ここで、入出金カセット１７は補充／回収カセット１９のようなマルチケース構造を備え、各内箱がそれぞれ二つの種類以上の金種のうちの一つの種類に対応してもよい。このような場合、自動計数処理においては、入出金カセット１７の各内箱の金種設定に応じて、内部空間設定が当該入出金カセット１７の内箱の金種設定に対応する補充／回収カセット１９の内箱と当該入出金カセット１７の内箱との間で貨幣を繰り返して搬送するようにすればよい。また、内部空間設定が同じ金種に対応する補充／回収カセット１９の内箱と入出金カセット１７の内箱とを比べると、補充／回収カセット１９の内箱の容量は入出金カセット１７の内箱の容量以上である。ここで、入出金カセット１７の各内箱の金種設定は、制御部１０により記録した入出金カセット１７の各内箱の金種設定情報に基づいて確定することができる。
【００６８】
上述のように、入出金カセット１７（またはその内箱）の金種設定が異なる場合においても、自動計数によって入出金カセット１７（またはその内箱）の貨幣在高を確認することができ、従来の入出金カセット１７の金種設定と同じ場合での同様な精査を行うことができる。
【変形例】
【００６９】
上述の各実施形態においては、自動計数処理終了後に係員がリジェクトカセット１８を回収した後に、代用リジェクトカセットとして使用された補充／回収カセット１９内の貨幣がすべてリジェクトカセット１８へ搬送されるとともに、その在高を自動変更するが、搬送せずに手作業で補充／回収カセット１９内の貨幣をすべてリジェクトカセット１８に再装填してもよい。このとき、自動と手作業のいずれでも在高の継承を行うことができる。特に、代用リジェクトカセットとして使用された補充／回収カセット１９からリジェクトカセット１８へ貨幣を搬送する前に、補充／回収カセット１９に収納された貨幣の金種を確認し、補充／回収カセット１９に同じ内部空間設定に応じてリジェクトカセット１８に搬送可能な金種の貨幣だけを収納した場合のみ、補充／回収カセット１９に収納された貨幣を自動的にリジェクトカセット１８に搬送する。これにより、搬送中のジャムの発生を防ぐことができる。
【００７０】
上述の実施形態１においては、補充／回収カセット１９内部に設置されたカセット内部空間変更手段２５によって補充／回収カセット１９の内部空間を変更するが、補充／回収カセット１９の内部空間を変更せずに、金種設定が補充／回収カセット１９の内部空間に対応可能な入出金カセット１７に対してのみ自動計数を行い、その他の金種設定の入出金カセット１７内の貨幣をすべてリジェクト貨幣として代用リジェクトカセットとして使用された補充／回収カセット１９に収納してもよい。係員が回収操作を行なうときに、リジェクトカセット１８と金種設定が補充／回収カセット１９の内部空間に対応しない入出金カセット１７を回収することで、従来と同様な精査を行うことができる。また、金種設定が補充／回収カセット１９の内部空間に対応する入出金カセット１７を回収する必要がないため、本実施例を適用しない場合と比べて、係員の作業効率と貨幣運用効率を高めることできる。
【００７１】
上述の各実施形態においては、出金取引時に枚数または金種が確定できないリジェクト貨幣を再鑑別する際に、鑑別に採用される合格許容範囲を拡大してもよく、鑑別に採用される合格許容範囲を拡大しなくてもよい。
【００７２】
上述の各実施形態においては、自動取引装置１は上位システム１１からの自動計数を行う指示に基づいて、自動計数を実行した後に、銀行帳務内貨幣在高、銀行帳務内貨幣在高の確認状況が成功したかどうか、および銀行帳務外在高の有無などの情報を上位システム１１に報告するが、自動計数を実行する前に、枚数または金種が確定できないリジェクト貨幣が最終的に収納されたカセットまたは一時保管部（例えば、リジェクトカセット１８または第２のリジェクトカセット２０）の銀行帳務内在高状態の確認状況によって、自動計数を行うかどうかを判断する。枚数または金種が確定できないリジェクト貨幣が最終的に収納されたカセットまたは一時保管部内の銀行帳務内在高の確認が失敗すると、係員が現場に出動して精査を行い、自動取引装置１による自動計数を省略する。係員が到着するまで自動取引装置１は作動をそのまま継続し、これにより自動取引装置１の自動計数によるジャムの発生を防止するとともに、本来自動計数に使われる時間を自動取引装置１の作動時間にする。
【００７３】
上述の各実施形態においては、自動取引装置は例えばタッチパネルディスプレイとしての係員操作パネル５を表示部として用いてもよい。当該表示部は係員のための情報表示画面として、入出金カセット１７と運用カセット（例えば、補充／回収カセット１９）の金種設定情報に基づいて、各入出金カセットが自動計数処理を行うことができるかどうかを提示するための情報を表示する。
【００７４】
上述の各実施形態においては、自動計数時に鑑別部１５の鑑別レベルを緩和（鑑別中の合格許容範囲を拡大する）させて貨幣を搬送するが、鑑別部１５の鑑別レベルを緩和（鑑別中の合格許容範囲を拡大しない）させなくてもよい。
【００７５】
上述の各実施形態においては、制御部１０と紙幣処理手段９が互いに独立しているが、制御部１０を紙幣処理手段９内に設けてもよい。
【００７６】
上述の各実施形態においては、上位システム１１が自動取引装置１の報告に基づいて、上位システム１１における記録と報告された銀行帳務内貨幣在高とを比較して精査を行うが、上位システム１１における記録を自動取引装置１に通知し、自動取引装置１（例えば、制御部１０）により当該記録に基づいて銀行帳務内貨幣在高と通知された記録とが一致しているかどうかを判断するとともに、当該精査結果を上位システム１１に報告してもよい。
【００７７】
上述の各実施形態においては、リジェクトカセット１８に操作検出部２２を適用し、操作検出部２２の検出結果が前回の精査後の期間中にリジェクトカセット１８が誰かに操作された場合、銀行帳務内在高の確認失敗と記録するが、入出金カセット１７に操作検出部２２を適用し、制御部１０により当該操作検出部２２の検出結果を記録してもよい。直前（前回）精査または自動計数後の期間中に入出金カセット１７が誰かに操作された場合、カセット毎に当該カセットの銀行帳務内在高状態の確認状況が確認失敗であると記録する。入出金カセット１７の銀行帳務内在高が確認され、かつ当該入出金カセット１７に金種や枚数などの在高確認のための情報が不明のリジェクト貨幣が発生しなかった場合、自動計数中の貨幣搬送を省略して結果を報告する。これにより、自動計数作動時間を短縮するとともに、ジャム発生の可能性を最大限に減少することができる。
【００７８】
上述の各実施形態においては、自動計数時の結果が精査時に一致しない場合、自動取引装置１が空の補充／回収カセット１９を代用リジェクトカセットとして使用するとともに取引を継続して実行し、係員が従来と同様にリジェクトカセット１８を回収する。そのうち、図３に示すように、各カセットを任意に固定または解除することができる固定手段２４を設置してもよい。図３においては、補充／回収カセット１９に対してのみ固定手段２４を記載しているが、各入出金カセット１７とリジェクトカセット１８にも同じく固定手段２４が設けられてよく、当然ながらカセット毎に固定手段２４を設けず、需要に応じて任意のカセットに固定手段２４を設けてもよい。係員がカセットの回収操作を行なう際に、回収すべきカセットを固定せず、回収すべきでないカセットを固定する。これにより、係員が回収すべきでないカセットを誤って回収することを防止することができる。
【００７９】
上述の各実施形態においては、自動取引装置１が入出金カセット１７とリジェクトカセット１８の銀行帳務内在高状態の確認状況および確認した銀行帳務内在高を上位システム１１に報告する。このほかに、自動取引装置１は銀行帳務外在高の有無を上位システム１１に報告してもよい。また、自動取引装置１は制御部１０により銀行帳務内在高のうちの鑑別結果情報を記録し、さらに銀行帳務内在高に対して金種または枚数が確定した鑑別結果情報に基づいて取得した金額、および金種または枚数が確定しなかった鑑別結果情報に基づいて取得した金額を上位システム１１に報告してもよい。これにより、最終的に係員が精査するときに、精査員が注意すべき金額を確定することができる。
【００８０】
上述の各実施形態においては、上位システム１１から自動計数を実行する指示を送信された場合、自動取引装置１は当該指示を受信して自動計数を行うが、制御部１０により上位システム１１の自動計数を実行する指示を記録するか、または上位システム１１の指示のほかに予め自動計数処理の開始時刻を制御部１０に記録し、上記状況においていずれも自動取引装置１が取引待ち状態にある任意の時刻で自動計数処理を開始してもよい。これにより、自動計数中の作動停止によって取引量に及ぼす影響を最大限に縮小するとともに、上位システム１１の担当者の操作負担を最大限に減少することができる。
【００８１】
上述の各実施形態においては、自動取引装置１として銀行などで入金などの取引に使用される装置を例にして説明したが、自動取引装置はこれに限定されず、様々な入出金取扱業務に使用される装置であってよい。また、上述の実施例において、自動取引装置１は紙幣を処理するが、自動取引装置はこれに限定されず、硬貨などの貨幣を処理する装置であってもよい。
【００８２】
本発明に係わる自動取引装置およびその計数方法によると、自動計数時に、各搬送元カセットの金種情報に基づいて、対象の補充／回収カセットの内部空間として搬送元カセットの貨幣を正常に受け取ったり送出したりすることが可能かどうかを判断し、対象の補充／回収カセットの内部空間として搬送元カセットの貨幣を正常に受け取ったり送出したりすることが可能な場合には、当該搬送元カセットの自動計数を実行する。また、対象の補充／回収カセットの内部空間として搬送元カセットの貨幣を正常に受け取ったり送出したりすることが不可能な場合には、搬送元のカセットの金種情報に基づいて補充／回収カセットの内部空間を変更してから自動計数を実行してもよい。
【００８３】
したがって、大きさが異なる貨幣の金種設定が存在する場合でも、搬送元カセットに対して自動計数を行うことができ、これにより運用効率を高めることができる。
【００８４】
以上、図面に基づいて本発明の実施例について説明したが、本実施例は本発明を理解するための具体的な例に過ぎず、本発明の範囲を限定するためのものではない。本分野の技術者は本発明の技術内容に基づいて、各実施例について様々な変形、組み合わせおよび要素の合理的な省略を行うことができるが、これにより得られた形態も本発明の範囲に含まれる。
【符号の説明】
【００８５】
１…自動取引装置、２…操作パネル、３…操作キー、４…暗証番号入力部、５…係員操作パネル、６…カード出入口、７…入出金口、８…明細票排出口、９…紙幣処理手段、１０…制御部、１１…上位システム、１２…受信部、１３…送信部、１４…シャッター、１５…鑑別部、１６…スタッカ（一時保管部）、１７…入出金カセット、１８…リジェクトカセット、１９…補充／回収カセット、２０…第２のリジェクトカセット、２１…搬送路、２２…操作検出部、２３…残量空検出部、２４…固定手段、１０１…ネットワーク、２５…カセット内部空間変更手段、１９０１…紙幣入出口、１９０２…紙幣収納部（内部空間）、１９０３…紙幣送出部、１９０４…押圧板、１９０５…底板、１９０６…可変板、１９０７…案内部、２５０１…可変板ヒンジ、２５０２…可変板ロッド、２５０３…接点部、２５０４…接点ヒンジ、２５０５…可変板バネ、２５０６…押圧棒、２５０７…スライド案内部材、２５０８…ロッド、２５０９…ロッドバネ、２５１０…プッシュロッド、２５１１…螺線管、１９６１…紙幣入出口、１９６２…第一の内箱、１９６３…第二の内箱、１９６４…紙幣分岐部、１９６５…搬送路、１９６６…紙幣収納部、１９６８…紙幣送出部、１９７０…圧板、１９７１…底板、１９７２…搬送路、１９７３…紙幣送出部、１９７４…押圧板、１９７５…底板。
【図１】
0006438861.tif 000002
【図２】
0006438861.tif 000003
【図３】
0006438861.tif 000004
【図４】
0006438861.tif 000005
【図５】
0006438861.tif 000006
【図６】
0006438861.tif 000007
【図７】
0006438861.tif 000008